(57)【要約】【課題】プラズマディスプレイパネル用フィルタ及びそれを備えたプラズマディスプレイ装置を提供する。【解決手段】互いに対向して配置された第１基板（２１１）及び第２基板（２５１）、第１基板（２１１）と第２基板（２５１）との間に配置され、互いに交差して複数個の放電セル（２５５）を限定し、複数個の横隔壁部（２６１）及び縦隔壁部（２６２）からなる隔壁を備えるプラズマディスプレイパネル（２００）の前面に付着されるプラズマディスプレイパネル用フィルタ（１００）において、ベースフィルム（１０１）と、縦隔壁部（２６２）に交差するようにベースフィルム（１０１）の一面に配置される複数個のパターン部（１０２）と、を備え、パターン部（１０２）のピッチは、放電セル（２５５）の縦長の約１５％以下であるプラズマディスプレイパネル用フィルタである。【選択図】図１
2010049253.tif 000002
【特許請求の範囲】
【請求項１】
互いに対向して配置された第１基板（２１１）及び第２基板（２５１）、前記第１基板（２１１）と第２基板（２５１）との間に配置され、互いに交差して複数個の放電セル（２５５）を限定し、複数個の横隔壁部（２６１）及び縦隔壁部（２６２）からなる隔壁（２６０）を備えるプラズマディスプレイパネル（２００）の前面に付着されるプラズマディスプレイパネル用フィルタ（１００）において、
ベースフィルム（１０１）と、
前記縦隔壁部（２６２）に交差するように前記ベースフィルム（１０１）の一面に配置される複数個のパターン部（１０２）と、を備え、
前記パターン部（１０２）のピッチは、前記放電セル（２５５）の縦長の１５％以下であることを特徴とするプラズマディスプレイパネル用フィルタ。
【請求項２】
互いに対向して配置された第１基板（２１１）及び第２基板（２５１）と、前記第１基板（２１１）と第２基板（２５１）との間に配置され、放電セル（２５５）を画定する一対の横隔壁部（２６１）及び縦隔壁部（２６２）からなる隔壁（２６０）とを備えるプラズマディスプレイパネル（２００）に付着されるプラズマディスプレイパネル用フィルタ（１００）において、
ベースフィルム（１０１）と、
前記ベースフィルム（１０１）の面に併設される複数個のパターン部（１０２）と、を備え、
前記ベースファイルに併設される複数個のパターン部（１０２）のピッチ（間隔）は、前記放電セル（２５５）を区画する前記隔壁（２６０）の一対の前記横隔壁部間の距離の１５％以下であることを特徴とするプラズマディスプレイパネル用フィルタ。
【請求項３】
前記プラズマディスプレイパネル用フィルタ（１００）の開口率は、５０％以上であることを特徴とする請求項１または２に記載のプラズマディスプレイパネル用フィルタ。
【請求項４】
前記複数個のパターン部（１０２）のピッチは、３０μｍないし１２０μｍであることを特徴とする請求項１または２に記載のプラズマディスプレイパネル用フィルタ。
【請求項５】
前記複数個のパターン部（１０２）それぞれは、前記横隔壁部（２６１）に平行に配置されたことを特徴とする請求項１または２に記載のプラズマディスプレイパネル用フィルタ。
【請求項６】
前記複数個のパターン部（１０２）は、前記縦隔壁部（２６２）と垂直に交差することを特徴とする請求項１または２に記載のプラズマディスプレイパネル用フィルタ。
【請求項７】
前記パターン部（１０２）は、吸光パターン部であることを特徴とする請求項１または２に記載のプラズマディスプレイパネル用フィルタ。
【請求項８】
前記複数個のパターン部（１０２）は、可視光線を吸収できる材質からなることを特徴とする請求項１または２に記載のプラズマディスプレイパネル用フィルタ。
【請求項９】
前記パターン部（１０２）が配置された前記ベースフィルム（１０１）の面とは反対側の面に配置されて、前記プラズマディスプレイパネル（２００）との接着性を確保する粘着層（１０３）をさらに備えることを特徴とする請求項１または２に記載のプラズマディスプレイパネル用フィルタ。
【請求項１０】
前記粘着層（１０３）には、色素または顔料が添加されていることを特徴とする請求項９に記載のプラズマディスプレイパネル用フィルタ。
【請求項１１】
画像を具現するプラズマディスプレイパネル（２００）と、
前記プラズマディスプレイパネル（２００）に駆動信号と電力とを供給して、それを制御する駆動回路基板（３４０）と、
前記プラズマディスプレイパネル（２００）と前記駆動回路基板（３４０）との間に配置され、前記プラズマディスプレイパネル（２００）と前記駆動回路基板（３４０）とを支持するシャーシ（３３０）と、
前記プラズマディスプレイパネル（２００）の前記シャーシ（３３０）が配置される面とは反対側の面に付着される請求項１ないし１０のうちいずれか一項に記載のプラズマディスプレイパネル用フィルタ（１００）と、を備えることを特徴とするプラズマディスプレイ装置。
【発明の詳細な説明】
【技術分野】
【０００１】
本発明は、プラズマディスプレイパネル用フィルタ及びそれを備えたプラズマディスプレイ装置に関する。
【背景技術】
【０００２】
プラズマディスプレイパネル（Ｐｌａｓｍａ  Ｄｉｓｐｌａｙ  Ｐａｎｅｌ：ＰＤＰ）を利用するプラズマディスプレイ装置は、ガス放電現象を利用して画像を表示する平板ディスプレイ装置であって、輝度、コントラスト、残像及び視野角などが優秀であり、薄形で製造でき、大画面表示が可能であるので、次世代の大型平板ディスプレイ装置として脚光を浴びている。
【０００３】
一般的に、ＰＤＰは、暗室コントラスト側面ではＬＣＤに比べて優秀である。しかし、ＰＤＰは、外光のある条件では、ＰＤＰの内部の蛍光体や隔壁などで反射される反射率が高いため、ＬＣＤに比べて相対的に明室コントラストが低いという短所がある。
【発明の概要】
【発明が解決しようとする課題】
【０００４】
本発明の目的は、モアレ縞の発生を防止できるＰＤＰ用フィルタ及びそれを備えたプラズマディスプレイ装置を提供するところにある。
【課題を解決するための手段】
【０００５】
本発明によるＰＤＰ用フィルタは、互いに対向して配置された第１基板（２１１）及び第２基板（２５１）、前記第１基板（２１１）と第２基板（２５１）との間に配置され、互いに交差して複数個の放電セル（２５５）を限定し、複数個の横隔壁部（２６１）及び縦隔壁部（２６２）からなる隔壁（２６０）を備えるプラズマディスプレイパネル（２００）の前面に付着されるプラズマディスプレイパネル用フィルタ（１００）において、ベースフィルム（１０１）と、前記縦隔壁部（２６２）に交差するように前記ベースフィルム（１０１）の一面に配置される複数個のパターン部（１０２）と、を備え、前記パターン部（１０２）のピッチは、前記放電セル（２５５）の縦長の１５％以下である。
【０００６】
本発明によるＰＤＰ用フィルタは、互いに対向して配置された第１基板（２１１）及び第２基板（２５１）と、前記第１基板（２１１）と第２基板（２５１）との間に配置され、放電セル（２５５）を画定する一対の横隔壁部（２６１）及び縦隔壁部（２６２）からなる隔壁（２６０）とを備えるプラズマディスプレイパネル（２００）に付着されるプラズマディスプレイパネル用フィルタ（１００）において、ベースフィルム（１０１）と、前記ベースフィルム（１０１）の面に併設される複数個のパターン部（１０２）と、を備え、前記ベースファイルに併設される複数個のパターン部（１０２）のピッチ（間隔）は、前記放電セル（２５５）を区画する前記隔壁（２６０）の一対の前記横隔壁部間の距離の１５％以下である。
【０００７】
本発明において、前記ＰＤＰ用フィルタ（１００）の開口率は、５０％でありうる。本発明において、前記複数個のパターン部（１０２）のピッチは、３０μｍないし１２０μｍでありうる。本発明において、前記複数個のパターン部（１０２）それぞれは、同じ間隔で離隔されて配置されうる。本発明において、前記複数個のパターン部（１０２）それぞれは、前記横隔壁部（２６１）に平行に配置されうる。本発明において、前記複数個のパターン部（１０２）は、前記縦隔壁部（２６２）と垂直に交差しうる。本発明において、前記パターン部（１０２）は、吸光パターン部でありうる。本発明において、前記複数個のパターン部（１０２）は、可視光線に対する吸収率の高い材質からなりうる。
【０００８】
本発明において、前記ベースフィルム（１０１）の底面（パターン部が配置された前記ベースフィルムの面とは反対側の面）に配置されて、前記ＰＤＰとの接着性を確保させる粘着層（１０３）をさらに備えうる。本発明において、前記粘着層（１０３）には、色素または顔料が添加されうる。本発明において、一側に近赤外線遮断層をさらに備えうる。本発明において、一側に色補正層をさらに備えうる。本発明において、一側に電磁波を遮蔽する導電層をさらに備えうる。
【０００９】
また、本発明によるプラズマディスプレイ装置は、画像を具現するプラズマディスプレイパネル（２００）と、前記プラズマディスプレイパネル（２００）に駆動信号と電力とを供給して、それを制御する駆動回路基板（３４０）と、前記プラズマディスプレイパネル（２００）と前記駆動回路基板（３４０）との間に配置され、前記プラズマディスプレイパネル（２００）と前記駆動回路基板（３４０）とを支持するシャーシ（３３０）と、前記プラズマディスプレイパネル（２００）の前記シャーシ（３３０）が配置される面とは反対側の面に付着されるプラズマディスプレイパネル用フィルタ（１００）と、を備える。
【発明の効果】
【００１０】
本発明は、パターン部により外光を遮断してＰＤＰの明室コントラストを向上させ、パターン部のピッチを調節してモアレ縞の発生を防止できる。これにより、ＰＤＰで表現されるイメージの鮮明性が向上する。
【図面の簡単な説明】
【００１１】
【図１】本発明の一実施形態によるＰＤＰ用フィルタを備えたＰＤＰを示す分離斜視図である。
【図２】図１のＩ−Ｉ線の部分断面図である。
【図３】図１に示したパターン部、放電電極、隔壁及び放電セルの配置位置を示す配置図である。
【図４】本発明の一実施形態によるＰＤＰ用フィルタを備えたプラズマディスプレイ装置の分離斜視図である。
【図５】図４のＩＶ−ＩＶ線の断面図である。
【発明を実施するための形態】
【００１２】
以下、添付された図面に示した本発明の実施形態を参照して、本発明を詳細に説明する。しかし、本発明は、その他にも色々な他の形態に変形され、本発明の範囲が後述する実施形態に限定されるものではない。本発明の実施形態は、当業者に本発明をさらに完全に説明するために提供されるものである。したがって、図面での要素の形状及びサイズは、さらに明確な説明のために誇張され、図面上の同じ符号で表示される要素は同じ要素である。
【００１３】
図１は、本発明の一実施形態によるＰＤＰ用フィルタ１００を備えたＰＤＰ２００を示す分離斜視図であり、図２は、図１のＩ−Ｉ線の部分断面図である。図３は、図１に示したパターン部１０２、隔壁２６０及び放電セル２５５の配置位置を示す配置図である。
【００１４】
図１及び図２に示すように、本発明の一実施形態によるＰＤＰ用フィルタ１００は、ＰＤＰ２００の前面（図中のｚ方向）に付着される。ＰＤＰ用フィルタ１００は、ベースフィルム１０１、複数個のパターン部１０２及び粘着層１０３を備える。
【００１５】
ＰＤＰ２００は、互いに対向して結合される第１パネル２１０及び第２パネル２５０を備える。前記第１パネル２１０は、第１基板２１１、放電電極２２０、保護層２１３及び第１誘電体層２１２を備える。前記第２パネル２５０は、第２基板２５１、第２誘電体層２５３、アドレス電極２５２、隔壁２６０及び蛍光体層２５４を備える。前記第１パネル２１０と第２パネル２５０との間の空間には、放電ガス（図示せず）が満たされている。
【００１６】
第１基板２１１は、一般的に可視光透過率が優秀なガラスを含みうる。しかし、第１基板２１１は、明室コントラストを向上させるために着色されることもある。
【００１７】
第２基板２５１は、第１基板２１１から所定の間隔に離隔されて対向して配置されうる。第２基板２５１は、ガラスを含む素材で形成される。第２基板２５１も、明室コントラストを向上させるために着色されることもある。
【００１８】
隔壁２６０は、第１基板２１１と第２基板２５１との間に配置されているが、より詳しくは、隔壁２６０は、第２誘電体層２５３上に配置される。かかる隔壁２６０は、放電空間を複数個の放電セル２５５に区画する。隔壁２６０は、放電セル２５５の間の光学的／電気的クロストークを防止する機能を行う。
【００１９】
図１に示すように、隔壁２６０は、長方形の横断面（直方体）を有するマトリックス配列の放電セル２５５を区画する。隔壁２６０は、アドレス電極２５２が延びる（配設される）方向（図中のｙ方向）と同じ方向に延びた縦隔壁部２６２と、アドレス電極２５２が延びる方向と異なる方向に延び、縦隔壁部２６２と交差する横隔壁部２６１と、を備える。かかる横隔壁部２６１は、縦隔壁部２６２と垂直に延びた方向（図中のｘ方向）に延びて形成される。したがって、各放電セル２５５は、対向する一対の縦隔壁部２６２及び対向する一対の横隔壁部２６１により取り囲まれる。そして、隔壁２６０は、横隔壁部２６１および縦隔壁部２６２により直方体の空間の放電セル２５５を形成して全体的に閉鎖型構造を有しうる。
【００２０】
前記のような構造を有する隔壁２６０は、誘電体で形成される。このように隔壁２６０が誘電体で形成されることによって、放電時に荷電粒子が共通電極２２２、走査電極２２１及びアドレス電極２５２に直接衝突してそれらが損傷されることが防止され、荷電粒子を誘導して壁電荷を蓄積しやすくなる。隔壁２６０を形成する誘電体としては、ＰｂＯ，Ｂ２Ｏ３，ＳｉＯ２などが利用される。
【００２１】
隔壁２６０は、放電セル２５５を区画する。放電セル２５５は、隔壁２６０により区画された部分であって、第１基板２１１と第２基板２５１との間に複数設けられている。放電セル２５５の内部では、放電が発生して画像が具現される。
【００２２】
第１基板２１１の前面（図中のｚ方向）には、ベースフィルム１０１、パターン部１０２及び粘着層１０３を備えるＰＤＰ用フィルタ１００が付着される。
【００２３】
ベースフィルム１０１は、可視光線を透過する材質で形成され、運搬の便宜及び付着工程の便宜のために柔軟な材質で形成される。また、ベースフィルム１０１は、ＰＤＰ用フィルタ１００をディスプレイ装置の前面（図中のｚ方向）に直接付着させる機能を行う。すなわち、界面特性上、ガラスやプラスチックなどの材質と密着されやすいものであって透明な材質であれば、いずれも使われ、運搬の便宜及び付着工程の便宜のために柔軟な材質で形成されることが望ましい。
【００２４】
ベースフィルム１０１についてさらに詳細に説明すれば、次の通りである。すなわち、前記ベースフィルム１０１は、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンサルファイド（ＰＰＳ）、ポリアリレート、ポリイミド、ポリカーボネート（ＰＣ）、セルローストリアセテート（ＴＡＣ）、セルロースアセテートプロピオネート（ＣＡＰ）などを利用して形成され、望ましくは、ＰＣ，ＰＥＴ，ＴＡＣ及びＰＥＮなどが利用される。
【００２５】
ベースフィルム１０１は、所定の色相を有するように着色される。したがって、ベースフィルム１０１の着色条件を調節することによって、ＰＤＰ用フィルタ１００の全体の可視光の透過率を調節できる。例えば、ベースフィルム１０１を暗い色相を有するように形成する場合、可視光線の透過率が低下するだけでなく、前方（図中のｚ方向）に投射される可視光の色相を調節できる。すなわち、ユーザーが視覚的に感じるのに良い色相を有するように全体的にベースフィルム１０１の色相を付与し、本発明の一実施形態によるＰＤＰ用フィルタ１００が採用されるＰＤＰの色純度を向上させるように色相を付与することもできる。また、本発明の一実施形態によるＰＤＰ用フィルタ１００が採用されるＰＤＰ２００の各放電セル２５５に対応するように、ベースフィルム１０１の色相をパターン形成することもできる。しかし、本発明は、これに限定されず、ベースフィルム１０１の多様な色補正のために多様な方式でベースフィルム１０１が着色されうる。
【００２６】
ベースフィルム１０１は、平板状を有し、その厚さは、５０μｍないし５００μｍであることが望ましい。ただし、ベースフィルム１０１の厚さが薄くなるにつれて、パネル破損時の飛散防止の効果が低下し、厚くなるにつれて、ラミネーティング工程の効率が低下するという問題があるところ、８０μｍないし４００μｍの厚さを有することがさらに望ましい。
【００２７】
パターン部１０２は、ベースフィルム１０１上に複数個配列される。図１及び図３に示すように、パターン部１０２は、縦隔壁部２６２に交差するようにベースフィルム１０１の一面に配置される。パターン部１０２は、縦隔壁部２６２と垂直に配置される。すなわち、パターン部１０２は、ベースフィルム１０１の面に縦隔壁部２６２に対して垂直方向に交差して、隣接するパターン部と一定のピッチＰ（間隔）に併設される。また、パターン部１０２は、横隔壁部２６１と平行に配置される。
【００２８】
パターン部１０２は、図１及び図２に示したように四角形状（ベースライン１１０の図中のｘ方向に横長の四角形状）の断面を有し、本願発明は、これに限定されるものではなく、パターン部１０２の断面は、三角形、菱形など多角形状を有しうる。パターン部１０２は、可視光線に対する吸収率が高いように明度及び彩度の低い色相、特に黒色を有することが望ましい。パターン部１０２は、吸光パターン部でありうる。パターン部１０２は、ブラック材料を添加したＵＶ硬化剤が使用可能であり、ＵＶ硬化剤の主成分としては、ポリウレタンオリゴマーの４５ないし５５ｗｔ％、メスアクリレートの３０ないし４０ｗｔ％、アクリル酸の１ないし３ｗｔ％、光開始剤の１ないし２．５ｗｔ％、シリカゲルの１ないし７．５ｗｔ％を含む。ＵＶ硬化剤に添加するブラック材料としては、ＴｉＯ，ＣｕＯ，ＮｉＯ，ＭｎＯ２，Ｃｒ２Ｏ３，Ｆｅ２Ｏ３のうち少なくとも一つ以上の材料を０．１ないし１０ｗｔ％含む。
【００２９】
パターン部１０２は、ＰＤＰ２００の外部からＰＤＰ２００の前面（図中のｚ方向）に向かって入射する可視光線を吸収または分散することによって、ＰＤＰ２００の外部への反射を低下させる。これにより、パターン部１０２は、ＰＤＰ２００の明室コントラストを向上させる。
【００３０】
しかし、パターン部１０２は、隔壁２６０の横隔壁部２６１や放電電極２２０と互いに重ねる場合、波形の干渉縞であるモアレ縞が発生しやすい。
【００３１】
モアレ縞は、空間的に周期性を有する一つ以上の構造を互いに重ねるか、または他の一つに投影させる時に発生し、元来の周期よりさらに長い周期を有する波形の干渉縞をいう。前記縞は、非干渉性光源を使用する一種の補強干渉の効果である。
【００３２】
かかるモアレ縞の発生を防止するために、パターン部１０２のピッチＰは、複数個の放電セルのうちいずれか一つの放電セル２５５の縦長Ｖの１５％以下にする。ここで、放電セル２５５の縦長Ｖとは、図１ないし図３に示すように一つの放電セル２５５をなす横隔壁部２６１の間の距離である。さらに詳しくは、隔壁の中央部と隣り合う隔壁の中央部との間の距離である。すなわち、放電セル２５５の縦長Ｖとは、前記隔壁２６０の一対の縦隔壁部２６２及び横隔壁部２６１により前記一つの放電セル２５５を区画する該一対の横隔壁部間の距離（図１に示すｘ方向）をいう。
【００３３】
ＰＤＰ用フィルタ１００の開口率は、約５０％以上にする。開口率が５０％未満である場合には、ＰＤＰ２００の輝度が相対的に低下するため、開口率は約５０％以上に設定することが輝度の向上のために望ましい。
【００３４】
パターン部１０２の線幅Ｗ（図２参照）は、開口率とパターン部１０２のピッチＰとにより決定される。すなわち、パターン部１０２のピッチＰが小さい場合には、多数のパターン部１０２がＰＤＰ２００の前面（図１のｚ方向）に形成され、所定の開口率を維持するためには、パターン部１０２の線幅Ｗが狭くなければならない。
【００３５】
開口率が約５０％以上である場合、パターン部１０２のピッチＰは、約３０μｍないし１２０μｍが望ましい。パターン部１０２のピッチＰが３０μｍ未満である場合には、パターン部１０２が稠密に形成される。この場合、開口率を維持するために、パターン部１０２の線幅Ｗが非常に狭くなければならないので、製作し難いという問題点がある。また、パターン部１０２のピッチＰが１２０μｍを超える場合には、パターン部１０２が疎らに形成される。したがって、外部から入射する可視光線の遮断効果が低下し、これにより、明室コントラストが低下するという問題点がある。
【００３６】
望ましくは、開口率を７０％以上に維持して輝度を向上させる。開口率を７０％に維持する場合、パターン部１０２のピッチは１００μｍであり、パターン部１０２それぞれの線幅は３０μｍでありうる。
【００３７】
ベースフィルム１０１の一側（パターン部１０２の配置された面とは反対側の面）には、導電層（図示せず）が配置されうる。導電層は、ＰＤＰ２００で発生する人体に有害な電磁波を遮蔽する。また、導電層は、多様な金属を利用して形成されるが、作業性に優れ、電気伝導率が優秀な銅を利用して形成することが望ましい。
【００３８】
一方、ＰＤＰ用フィルタ１００は、近赤外線遮断層（図示せず）及び／または色補正層（図示せず）を選択的にさらに備えうる。前記色補正層は、本発明によるＰＤＰ用フィルタが適用されるディスプレイ装置から入射された可視光の色純度が低いか、または色温度などを補正する必要がある時に利用される。
【００３９】
本発明によるＰＤＰ用フィルタ１００の底面、すなわち、前記ベースフィルムの底面（パターン部１０２が配置された前記ベースフィルム１０１の面とは反対側の面（図２参照））には、ＰＤＰ２００の前面との接着性を確保するために粘着層１０３が設置されうる。前記粘着層１０３は、二重映像現象を低下させるために、粘着層１０３とＰＤＰ２００との屈折率差が所定の値、例えば１．０％を超えないようにすることが望ましい。
【００４０】
前記粘着層１０３は、熱可塑性、ＵＶ硬化性樹脂を含むことが望ましいが、例えばアクリレート系樹脂またはＰＳＡ（Ｐｒｅｓｓｕｒｅ  Ｓｅｎｓｉｔｉｖｅ  Ａｄｈｅｓｉｖｅ）などがある。かかる粘着層１０３は、ディップコーティング法、エアーナイフ法、ローラコーティング法、ワイヤーバーコーティング法、グラビアコーティング法などを利用して形成される。
【００４１】
前記粘着層１０３は、近赤外線を吸収する化合物をさらに含みうる。かかる化合物としては、銅原子を含むレジン、銅化合物や燐化合物を含むレジン、銅化合物やＴＨＩＯ尿素誘導体を含むレジン、タングステン系化合物を含むレジン、シアニン系化合物などが利用される。
【００４２】
また、粘着層１０３は、ネオン光を遮断して色補正を行うように染料や顔料のような色素をさらに含みうる。前記色素は、可視光線領域である４００ないし７００ｎｍの波長の光を選択的に吸収する機能を行う。特に、ＰＤＰ２００の放電時、放電ガスであるネオンにより約５８５ｎｍ波長付近の不要な可視光が発生するが、前記可視光を吸収するために、シアニン系、スクアリリウム系、アゾメチン系、キサンテン系、オキソノール系、アゾ系などの化合物を利用できる。前記色素を微粒子として分散物の形態で粘着層１０３内に含める。
【００４３】
第２基板２５１に対向する第１基板２１１上には、放電電極２２０が互いに離隔されて平行に配置されている。放電電極２２０は、放電セル２５５内で放電を起こし、各放電セル２５５ごとに一つの共通電極２２２及び一つの走査電極２２１が配置される構造を有する。したがって、各放電電極２２０は、共通電極２２２または走査電極２２１の機能を行い、前記放電電極２２０は、共通電極２２２及び走査電極２２１が交互に反復的に配置される構造となる。
【００４４】
放電電極２２０は、横方向（図１に示すｘ方向）に延びる。放電電極２２０は、バス電極２２１ｂ，２２２ｂ及びこのバス電極２２１ｂ，２２２ｂに電気的に接続される透明電極２２１ａ，２２２ａを備える。透明電極２２１ａ，２２２ａの幅がバス電極２２１ｂ，２２２ｂの幅より広く、バス電極２２１ｂ，２２２ｂは、透明電極２２１ａ，２２２ａに整列されている。
【００４５】
一般的に、バス電極２２１ｂ，２２２ｂは、導電性に優れた金属を利用して形成される。また、バス電極２２１ｂ，２２２ｂは、少なくとも一層が暗い色を有する複層構造で形成されているため、バス電極２２１ｂ，２２２ｂにより明室コントラストが向上するという長所を有する。
【００４６】
第１基板２１１上には、放電電極２２０を埋め込むように第１誘電体層２１２が形成されている。第１誘電体層２１２は、隣接した共通電極２２２と走査電極２２１とが互いに通電されることを防止すると共に、荷電粒子または電子が共通電極２２２と走査電極２２１とに直接衝突して、共通電極２２２と走査電極２２１とを損傷させることを防止する。
【００４７】
また、第１誘電体層２１２上には、通常ＭｇＯからなる保護層２１３が形成されている。かかる保護層２１３は、放電時に陽イオンと電子とが第１誘電体層２１２に衝突して第１誘電体層２１２が損傷されることを防止し、光透過性に優れ、放電時に２次電子を多く放出する。特に、保護層２１３は、主にスパッタリング、電子ビーム蒸着法などを利用して薄膜として形成される。
【００４８】
第１基板２１１に対向する第２基板２５１上には、アドレス電極２５２が共通電極２２２及び走査電極２２１と交差するように配置されている。アドレス電極２５２は、共通電極２２２と走査電極２２１との間の維持放電をさらに容易にするためのアドレス放電を起こすためのものであって、さらに具体的には、維持放電が起こるための電圧を低める役割を行う。アドレス放電は、走査電極２２１とアドレス電極２５２との間に起こる放電である。
【００４９】
第２基板２５１上には、アドレス電極２５２を埋め込むように第２誘電体層２５３が形成されている。第２誘電体層２５３は、誘電体で形成される。また、第２誘電体層２５３は、放電時に陽イオンまたは電子がアドレス電極２５２に衝突してアドレス電極２５２を損傷させることを防止する。
【００５０】
蛍光体層２５４は、各放電セル２５５内に配置される。蛍光体層２５４は、隔壁２６０の内側面と、隔壁２６０で取り囲まれた第２誘電体層２５３の上面とに塗布されて形成される。蛍光体層２５４の色相は、画像を具現するために、赤色、緑色、青色に大別される。蛍光体層２５４は、放電時に発生した紫外線により励起されることによって、可視光線を発散する。
【００５１】
また、放電セル２５５には、Ｎｅ，Ｘｅなどが混合された放電気体が満たされ、前記のように放電気体が満たされた状態で、第１基板２１１及び第２基板２５１のエッジに形成されたフリットガラスのような密封部材により第１基板２１１及び第２基板２５１が互いに封合されて結合される。
【００５２】
図４は、本発明の一実施形態によるＰＤＰ用フィルタ１００を備えるプラズマディスプレイ装置３００を示す分離斜視図であり、図５は、図４のＩＶ−ＩＶ線の断面図である。
【００５３】
プラズマディスプレイ装置３００は、ＰＤＰ２００、シャーシ３３０及び回路部（駆動回路基板）３４０を備える。そして、本発明によるＰＤＰ用フィルタ１００がＰＤＰ２００の前面、すなわち、ＰＤＰ２００のシャーシ３３０が配置される面とは反対側の面（シャーシ３３０と結合されるＰＤＰ２００の面とは反対側の面：図４の前方）に付着される。ＰＤＰ２００とシャーシ３３０との結合のために両面テープ３５４のような接着手段が使われ、ＰＤＰで作動中に放出する熱をシャーシを通じて発散させるために熱伝導部材３５３がシャーシ３３０とＰＤＰ２００との間に配置されうる。
【００５４】
ＰＤＰ２００は、ガス放電により画像を具現し、互いに結合される第１パネル２１０及び第２パネル２５０を備える。
【００５５】
ＰＤＰ用フィルタ１００は、ＰＤＰ２００の前面（図４の前方）に粘着層１０３（図外）により付着されうる。ここでは、図１に示したＰＤＰ用フィルタ１００を指しつつ説明するが、ＰＤＰ用フィルタ１００にのみ限定されず、本発明の特徴が反映された多様な形態の変形されたＰＤＰ用フィルタが使われる。
【００５６】
ＰＤＰ用フィルタ１００により、グレア現象が減少する。また、赤外線やネオン光が遮断される。
【００５７】
シャーシ３３０は、ＰＤＰ２００の後方（図４参照）に配置されてＰＤＰ２００を構造的に支持するとともに、回路部３４０も構造的に支持する機能を行う。シャーシ３３０は、強性（剛性）に優れた金属材料であるアルミニウム、鉄などで形成されるか、またはプラスチックで形成されることが望ましい。
【００５８】
ＰＤＰ２００とシャーシ３３０との間には、熱伝導部材３５３が配置されている。また、熱伝導部材３５３の周囲に沿って複数個の両面テープ３５４が配置されるが、両面テープ３５４は、ＰＤＰ２００とシャーシ３３０とを互いに固定する機能を行う。
【００５９】
また、シャーシ３３０の後方（図４参照）には、回路部３４０が配置され、該回路部３４０にはＰＤＰ２００を駆動する回路が実装される。また、回路部３４０は、信号伝達手段により電気的信号をＰＤＰ２００に伝達する。信号伝達手段としては、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などが選択されて使われる。本実施形態によれば、シャーシ３３０の左側及び右側（図４参照）には、信号伝達手段としてＦＰＣ３６１が配置されており、シャーシ３３０の図中上側及び下側には、信号伝達手段としてＴＣＰ３６０が配置されている。更に、回路部３４０はプラズマディスプレイパネル２００に駆動信号および電力を供給するとともに制御するものである。
【００６０】
以下、本発明を、下記実施例を挙げて詳細に説明する。しかし、本発明が下記実施例にのみ限定されるものではない。
【００６１】
実施例は、ＰＤＰ用フィルタの開口率を約７０％に維持し、放電セルの縦長Ｖを約７００μｍとし、ＰＤＰ用フィルタに形成されたパターン部のピッチＰを変化させつつ、ＰＤＰにモアレ縞が発生するか否かを確認したものである。
【００６２】
実施例１では、パターン部のピッチＰが放電セルの縦長Ｖの約５％となるようにＰＤＰ用フィルタを製造した。  
実施例２では、パターン部のピッチＰが放電セルの縦長Ｖの約１０％となるようにＰＤＰ用フィルタを製造した。  
実施例３では、パターン部のピッチＰが放電セルの縦長Ｖの約１５％となるようにＰＤＰ用フィルタを製造した。  
比較例１では、パターン部のピッチＰが放電セルの縦長Ｖの約２０％となるようにＰＤＰ用フィルタを製造した。  
比較例２では、パターン部のピッチＰが放電セルの縦長Ｖの約２５％となるようにＰＤＰ用フィルタを製造した。
【表１】
2010049253.tif 000003
【００６３】
表１に示すように、フィルタの開口率が約７０％であり、かつパターン部のピッチＰが放電セルの縦長Ｖに対して約１５％以下である場合には、モアレ縞が発生しなかった。放電セルの縦長Ｖが７００μｍであり、パターン部のピッチＰが１００μｍであるとき、パターン部のピッチＰは、放電セルの縦長Ｖに対して約１５％に該当する。
【００６４】
しかし、パターン部のピッチＰが放電セルの縦長Ｖに対して約２０％以上である場合には、モアレ縞が発生した。
【００６５】
更に、開口率が７０％であり、放電セルの縦長Ｖがそれぞれ７４０μｍ、１００μｍであるＰＤＰで、パターン部のピッチＰが１００μｍであるフィルタでモアレ縞の発生如何を実験したが、モアレ縞が発生しなかった。放電セルの縦長Ｖが７４０μｍであるＰＤＰでパターン部のピッチＰが１００μｍであるとき、パターン部のピッチＰは、放電セルの縦長Ｖに対して約１３．５％に該当し、放電セルの縦長Ｖが１０００μｍであるＰＤＰでパターン部のピッチＰが１００μｍであるとき、パターン部のピッチＰは、放電セルの縦長Ｖに対して１０％に該当する。
【００６６】
本発明は、前述した実施形態及び添付された図面により限定されるものではなく、特許請求の範囲により限定するものであり、特許請求の範囲に記載された本発明の技術的思想を逸脱しない範囲内で多様な形態の置換、変形及び変更が可能であるということは、当業者に自明であるであろう。
【産業上の利用可能性】
【００６７】
本発明は、ディスプレイ関連の技術分野に適用可能である。
【符号の説明】
【００６８】
１００  ＰＤＰ用フィルタ
１０１  ベースフィルム
１０２  パターン部
１０３  粘着層
２００  ＰＤＰ
２１０  第１パネル
２１１  第１基板
２１２  第１誘電体層
２１３  保護層
２２０  放電電極
２２１  走査電極
２２２  共通電極
２２１ａ，２２２ａ  透明電極
２２１ｂ，２２２ｂ  バス電極
２５０  第２パネル
２５１  第２基板
２５２  アドレス電極
２５３  第２誘電体層
２５４  蛍光体層
２５５  放電セル
２６０  隔壁
２６１  横隔壁部
２６２  縦隔壁部
【図１】
2010049253.tif 000004
【図２】
2010049253.tif 000005
【図３】
2010049253.tif 000006
【図４】
2010049253.tif 000007
【図５】
2010049253.tif 000008